(57)【特許請求の範囲】
【請求項１】
画面を分割表示可能な表示手段を備えた画像形成装置であって、
分割された一方の画面のログインユーザーと分割された他方の画面のログインユーザーとが異なる場合、予め設定されたプライバシー情報を前記一方の画面に表示させたときに、前記一方の画面の視認性を通常の表示状態より低下させるよう前記表示手段を制御するプライバシー保護処理手段を備え、
前記プライバシー保護処理手段は、
前記一方の画面に表示させた前記プライバシー情報に対するアクセス権が前記他方の画面のログインユーザーに与えられていない場合に、前記一方の画面の視認性を通常の表示状態より低下させるよう前記表示手段を制御する
ことを特徴とする画像形成装置。
【請求項２】
前記表示手段は、分割表示されたときの表示領域毎に視野角を制御する視野角制御フィルターが設けられ、
前記プライバシー保護処理手段は、
前記プライバシー情報を表示させた前記一方の画面を前記視野角制御フィルターにより視野角を狭めるように前記表示手段を制御する
ことを特徴とする請求項１に記載の画像形成装置。
【請求項３】
前記プライバシー保護処理手段は、
前記視認性の低下度合いを調整可能に設定されていることを特徴とする請求項１又は２に記載の画像形成装置。
【発明の詳細な説明】
【技術分野】
【０００１】
本発明は、画面を分割表示可能な表示手段を備えた画像形成装置に関する。
【背景技術】
【０００２】
従来、画像形成装置には、画像形成装置の設定や動作指示を受け付ける操作部が設けられている。操作部には、タッチパネル式の表示部を備えたものがあり、表示部により、画像形成装置の状態を示したり、画像形成状況や印刷部数を表示したり、タッチパネルとして、両面印刷や白黒反転等の機能や倍率設定、濃度設定など各種設定を行えるようになっている。
【０００３】
操作部がいずれかのユーザーによって使用されていると、操作部を使用したい他のユーザーは操作部が空くのを待つ必要がある。そこで、表示部の画面を分割表示して、分割されたそれぞれの画面でユーザーからの指示を受け付ける技術が提案されている（例えば、特許文献１を参照）。
【先行技術文献】
【特許文献】
【０００４】
【特許文献１】特開2005-119138号公報
【発明の概要】
【発明が解決しようとする課題】
【０００５】
しかしながら、特許文献１の技術では、分割画面のそれぞれを異なるユーザーが操作するときに、一方のユーザーが表示させたプライバシー情報が他方のユーザーに見えてしまっていた。
【０００６】
本発明は上記課題に鑑みてなされたものであり、上記課題を解決する技術を提供することを目的とする。
【課題を解決するための手段】
【０００７】
本発明の画像形成装置は、画面を分割表示可能な表示手段を備えた画像形成装置であって、分割された一方の画面のログインユーザーと分割された他方の画面のログインユーザーとが異なる場合、予め設定されたプライバシー情報を前記一方の画面に表示させたときに、前記一方の画面の視認性を通常の表示状態より低下させるよう前記表示手段を制御するプライバシー保護処理手段を備え、前記プライバシー保護処理手段は、前記一方の画面に表示させた前記プライバシー情報に対するアクセス権が前記他方の画面のログインユーザーに与えられていない場合に、前記一方の画面の視認性を通常の表示状態より低下させるよう前記表示手段を制御することを特徴とする。
また、前記表示手段は、分割表示されたときの表示領域毎に視野角を制御する視野角制御フィルターが設けられ、前記プライバシー保護処理手段は、前記プライバシー情報を表示させた前記一方の画面を前記視野角制御フィルターにより視野角を狭めるように前記表示手段を制御してもよい。
また、前記プライバシー保護処理手段は、前記視認性の低下度合いを調整可能に設定されていてもよい。
【発明の効果】
【０００８】
本発明によれば、分割表示された画面のそれぞれを異なるユーザーが操作する場合に、分割された画面に表示される内容のプライバシーを保護することができる技術を提供できる。
【図面の簡単な説明】
【０００９】
【図１】本発明に係る実施形態の画像形成装置の断面模式図である。
【図２】図１に示す表示部の分割表示領域を示す図である。
【図３】図１に示す画像形成装置の概略構成図を示す図である。
【図４】図３に示すプライバシー設定情報の設定例を示す図である。
【図５】図３に示すプライバシー保護処理部の処理の流れを示す図である。
【図６】プライバシー保護された画面の様子を示す図である。
【発明を実施するための形態】
【００１０】
次に、本発明の実施の形態を、図面を参照して具体的に説明する。
本発明の実施の形態の画像形成装置１００は、複写機能、印刷機能、スキャナー機能等を有する複合機であり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。また、画像形成装置１００の前面側には、画像形成装置１００の設定や動作指示を行う操作部５が配設されている。
【００１１】
操作部５には、表示部５１と操作ボタン５２が設けられている。操作ボタン５２には、印刷枚数等の数値を入力するためのテンキー、設定情報を初期化させる指示を入力するためのリセットキー、複写動作を停止させたり、入力された数値を消去させたりするためのストップキー、印刷動作を開始させる出力指示を入力するためのスタートキー等の常設操作キーと、表示部５１の画面を分割する指示を入力するための画面分割キーが設けられている。
【００１２】
表示部５１は、操作入力を受け付ける各種操作キーを表示する表示パネルと、表示部５１の表示面に設けられ、操作者の指先やスタイラス等の押圧によるタッチ入力を検知し、タッチ入力が検知された位置に対応する信号を出力することで、表示部５１に表示された操作キーへの操作を受け付けるタッチパネルとを備えている。表示パネルとしては、例えば液晶表示パネルが用いることができる。また、タッチパネルとしては、例えば抵抗膜方式や静電容量方式等を用いることができる。
【００１３】
表示部５１は、不図示の画面分割キーが押されると、画面を分割表示する。図２は、表示部５１における分割表示された画面例である。ここでは、表示部５１の表示領域が左右に２分割され、左側の表示領域６１に画面Ａが、右側の表示領域６２に画面Ｂが表示されている。表示部５１は、画面Ａ及び画面Ｂのそれぞれでユーザーのログインの受付が可能で、ユーザーからの操作を同時に受け付けることができ、操作を受け付けた画面で、画像形成装置１の状態を示したり、画像形成状況や印刷部数を表示したり、タッチパネルとして、両面印刷や白黒反転等の機能や倍率設定、濃度設定など各種設定を行えるようになっている。なお、表示部５１の画面は、画面分割キーが押されたときに、上下に分割されてもよいし、３つ以上に分割されてもよい。
【００１４】
図１を参照すると、原稿読取部１２０は、スキャナー１２１と、プラテンガラス１２２と、原稿読取スリット１２３とを備えている。スキャナー１２１は、露光ランプ及びＣＣＤ（Charge Coupled Device）センサー等から構成され、原稿給送部１３０による原稿ＭＳの搬送方向に移動可能に構成されている。プラテンガラス１２２は、ガラス等の透明部材により構成された原稿台である。原稿読取スリット１２３は、原稿給送部１３０による原稿ＭＳの搬送方向と直交方向に形成されたスリットを有する。
【００１５】
プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データを取得する。また、原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データを取得する。
【００１６】
原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の原稿読取スリット１２３に対向する位置へ搬送され、その後、原稿排出部１３２に排出される。なお、原稿給送部１３０は、可倒式に構成され、原稿給送部１３０を上方に持ち上げることで、プラテンガラス１２２の上面を開放させることができる。
【００１７】
記録部１４０は、画像形成部１５０を備えると共に、給紙部１６０と、搬送路１７０と、搬送ローラー１８１と、排出ローラー１８２と、画像形成装置１００の胴内排出空間に設けられた胴内排出トレイ１９０とを備えている。
【００１８】
給紙部１６０は、記録紙Ｐを収納する複数の給紙カセット１６１ａ〜ｄと、給紙カセット１６１ａ〜ｄから記録紙Ｐを１枚ずつ搬送路１７０に繰り出す給紙ローラー１６２とを備えている。給紙ローラー１６２、搬送ローラー１８１及び排出ローラー１８２が搬送部として機能し、記録紙Ｐが搬送される。給紙ローラー１６２によって搬送路１７０に繰り出された記録紙Ｐは、搬送ローラー１８１によって画像形成部１５０に搬送される。そして、画像形成部１５０によって記録が施された記録紙Ｐは、排出ローラー１８２に導かれて胴内排出トレイ１９０に印刷物として出力される。なお、本実施の形態では、４個の給紙カセット１６１ａ〜ｄが備えられている。
【００１９】
画像形成部１５０は、感光体ドラム１５１と、帯電部１５２と、露光部１５３と、現像部１５４と、転写部１５５と、クリーニング部１５６と、定着部１５７とを備えている。露光部１５３は、レーザー装置やミラー等を備えた光学ユニットであり、画像データに基づいてレーザー光を出力して、帯電部１５２によって帯電された感光体ドラム１５１を露光し、感光体ドラム１５１の表面に静電潜像を形成する。現像部１５４は、トナーを用いて感光体ドラム１５１に形成された静電潜像を現像する現像ユニットであり、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００２０】
図３を参照すると、画像形成装置１００の操作部５、原稿読取部１２０、原稿給送部１３０、画像形成部１５０及び搬送部（給紙ローラー１６２、搬送ローラー１８１、排出ローラー１８２）は、制御部１に接続され、制御部１によって動作制御される。また、制御部１には、ファクシミリ部２と、記憶部３と、画像処理部４とが接続されている。
【００２１】
ファクシミリ部２は、モデムを有し、原稿読取部１２０によって読み取られた画像データや、記憶部３に記憶されている画像データからファクシミリ信号を生成し、生成したファクシミリ信号を電話回線網等のネットワークを介して送信するファクシミリ送信機能と、電話回線網等のネットワークを介してファクシミリ信号を受信するファクシミリ受信機能とを備えている。
【００２２】
記憶部３は、原稿読取部１２０によって原稿を読み取ることで取得された画像データ、ファクシミリ部２によって受信された画像データが格納された親展ボックス、連絡先などが格納されたアドレス帳、及び画像形成装置１００にログインするユーザーのユーザー情報などが記憶される、半導体メモリやＨＤＤ（Hard Disk Drive）等の記憶手段である。また、記憶部３には、プライバシー保護対象となるプライバシー情報を設定するためのプライバシー設定情報３２が記憶されている。
【００２３】
図４は、プライバシー設定情報３２の設定例を示した図である。プライバシー設定情報３２では、プライバシー保護対象にするプライバシー情報名と、このプライバシー情報にアクセス可能なユーザー名（許可ユーザー）とが関連付けて記憶される。ここでは、親展ボックス、アドレス帳（取引先グループＡ）、及びアドレス帳（社内グループ）がプライバシー保護対象として記憶されている。また、親展ボックスにアクセス可能なユーザーとしてユーザーＡ及びＣが、アドレス帳（取引先グループＡ）にアクセス可能なユーザーとしてユーザーＡが、及びアドレス帳（社内グループ）にアクセス可能なユーザーとしてユーザーＡ〜Ｃが記憶されている。プライバシー設定情報３２は、操作部５を介してユーザーが設定可能である。なお、名前、住所、電話番号やメールアドレスなどの連絡先情報がプライバシー情報として設定されてもよい。
【００２４】
制御部１は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１は、ＲＯＭに記憶されている制御プログラムを読み出し、制御プログラムをＲＡＭに展開させることで、操作部５から入力された所定の指示情報に応じて装置全体の制御を行う。また、制御部１は、プライバシー設定情報３２に設定されたプライバシー情報の表示操作がされたときに、ユーザーのアクセス権限を確認してプライバシー保護処理を実行するプライバシー保護処理部１１として機能する。
【００２５】
具体的に、図５を参照して、プライバシー保護処理の流れを説明する。なお、以下で、ユーザーは画像形成装置１００にログインしているものとする。
【００２６】
制御部１は、操作部５においてプライバシー情報の表示操作を受け付けると（ステップｓ１１）、プライバシー保護処理部１１によるプライバシー保護処理を行う。プライバシー保護処理部１１は、プライバシー設定情報３２を参照して、プライバシー情報の表示操作を行ったユーザーが許可ユーザーであるか判定する（ステップｓ１２）。
【００２７】
表示操作を行ったユーザーが許可ユーザーでない場合（ステップｓ１２でＮｏ）、プライバシー保護処理部１１は、プライバシー情報を表示できない旨を通知して（ステップｓ１３）、本処理を終了する。
【００２８】
一方、表示操作を行ったユーザーが許可ユーザーである場合（ステップｓ１２でＹｅｓ）、プライバシー保護処理部１１は、表示部５１において画面が分割表示中であるか判定する（ステップｓ１４）。画面が分割表示中でない場合（ステップｓ１４でＮｏ）、プライバシー保護処理部１１は、プライバシー情報を表示する画面の視認性を変更しないで通常の表示状態（プライバシー情報以外の情報が表示されるときの表示状態）でプライバシー情報を表示させ（ステップｓ１５）、本処理を終了する。
【００２９】
画面が分割表示中である場合（ステップｓ１４でＹｅｓ）、プライバシー保護処理部１１は、プライバシー設定情報３２を参照して、プライバシー情報の表示操作が行われた画面と異なる分割画面を操作しているユーザー（他方のユーザー）が、表示操作が行われたプライバシー情報の許可ユーザーであるか判定する（ステップｓ１６）。
【００３０】
他方のユーザーが許可ユーザーである場合（ステップｓ１６でＹｅｓ）、プライバシー保護処理部１１は、プライバシー情報を表示する画面の視認性を変更しないで通常の表示状態でプライバシー情報を表示させて（ステップｓ１５）、本処理を終了する。他方のユーザーがプライバシー情報を表示させたわけではないが、このプライバシー情報を表示させようと思えば、自ら表示させることができるからである。
【００３１】
一方、他方のユーザーが許可ユーザーでない場合（ステップｓ１６でＮｏ）、プライバシー保護処理部１１は、プライバシー情報が表示される画面の視認性が通常の表示状態より低下するように表示部５１を制御して、プライバシー情報を表示させ（ステップｓ１７）、本処理を終了する。
【００３２】
図６（ａ）は、プライバシー情報が表示された画面の視認性を低下させた様子を示す図である。図６（ａ）では、表示部５１の画面が左右２分割され、左側に親展ボックス画面８１が表示され、右側に宛先入力画面８２が表示されている。親展ボックス画面８１は、ファクシミリ受信した親展ボックスの文書一覧を表示した画面であり、ユーザーＡによって表示操作されたものである。宛先入力画面８２は、ファクシミリ送信の宛先入力を受け付ける画面であり、ユーザーＢによって表示操作されたものである。ユーザーＡによって表示された親展ボックス画面８１は、図４に示すプライバシー設定情報３２によれば、ユーザーＡにアクセス権が与えられているがユーザーＢにアクセス権が与えられていないプライバシー情報であるため、画面のコントラストが下げられて視認性が低下した状態で表示されている。一方、ユーザーＢによって表示された宛先入力画面８２は、図４に示すプライバシー設定情報３２にプライバシー情報として設定されていないので、視認性が低下していない通常の表示状態で表示されている。
【００３３】
なお、図６（ｂ）は、ユーザーＡによって親展ボックス画面８１が表示され、ユーザーＣによってアドレス帳（社内グループ）画面８３が表示された場合を示した図である。アドレス帳（社内グループ）画面８３は、アドレス帳の社内グループの連絡先一覧を表示した画面であり、図４に示すプライバシー設定情報３２でプライバシー情報として設定されている。親展ボックス画面８１及びアドレス帳（社内グループ）画面８３は、いずれもユーザーＡ、Ｃの両名に表示許可されているため、いずれの画面も視認性が低下しない状態で表示される。
【００３４】
以上説明したように、プライバシー保護処理部１１は、分割された画面のそれぞれを異なるユーザーが操作しているときに、一方のユーザーが予め設定されたプライバシー情報を表示させると、他方のユーザーがそのプライバシー情報に対するアクセス権を有しているか確認し、有していない場合に、そのプライバシー情報を表示する画面の視認性を低下させている。そのため、本実施形態によれば、一方のユーザーが表示させたプライバシー情報が他方のユーザーに見られてしまうことを防ぐことができ、プライバシーを保護することができる。
【００３５】
本発明は上述した実施の形態に限定されるものではなく、本発明の趣旨を逸脱しない範囲で種々様々に変更が可能であることは言うまでもない。
【００３６】
例えば、上記実施形態では、プライバシー保護処理部１１は、プライバシー情報を表示させる画面のコントラストを下げるように表示部５１を制御して、画面の視認性を低下させたが、これに限らず、例えば、プライバシー情報を表示させる画面の輝度が低くなるよう表示部５１を制御して、画面の視認性を低下させてもよい。
【００３７】
また、表示部５１は、分割表示されたときの表示領域毎に視野角制御フィルターを備えてもよい。視野角制御フィルターは、表示部５１の表示面に設けられ、ＯＮのときに正面方向以外には網目状の模様などを表示させて視野角を狭め、ＯＦＦのときに広視野角で表示させる機能を有する。この場合、プライバシー保護処理部１１は、通常の表示状態では表示手段を制御して視野角制御フィルターをＯＦＦにし、プライバシー情報を表示させるときに、表示手段を制御して視野角制御フィルターをＯＮにして画面の視認性を低下させてもよい。また、画面の視認性を低下させるときのコントラストレベル、輝度レベル、及び視野角レベルをユーザーが設定して、画面の視認性の低下度合いを調整可能であってもよい。
【００３８】
また、プライバシー保護処理部１１は、プライバシー情報を表示させる画面全体の視認性を低下させるよう表示部５１を制御するのではなく、プライバシー情報が表示される表示領域のみの視認性を低下させるよう表示部５１を制御してもよい。また、プライバシー保護処理部１１は、プライバシー情報を「＊」などの伏せ字により視認不可能に表示させるよう表示部５１を制御してもよい。また、プライバシー保護処理部１１は、プライバシー情報を表示させた画面の視認性を低下させているときに、例えば、不図示の視認性低下解除キーが押されるなどの所定操作が行われると、画面の視認性を通常の表示状態に戻すよう表示部５１を制御してもよい。
【符号の説明】
【００３９】
１  制御部
２  ファクシミリ部
３  記憶部
４  画像処理部
５  操作部
１１  プライバシー保護処理部
３２  プライバシー設定情報
５１  表示部
５２  操作ボタン
６０  表示領域
１００  画像形成装置
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１７０  搬送路
１８１  搬送ローラー
１８２  排出ローラー
１９０  胴内排出トレイ
【図１】
0005925749.tif 000002
【図２】
0005925749.tif 000003
【図３】
0005925749.tif 000004
【図４】
0005925749.tif 000005
【図５】
0005925749.tif 000006
【図６】
0005925749.tif 000007